(57)【要約】【課題】簡単かつ確実に折り曲げた状態を維持してかさを増すことのできる枕や腰当（腰枕）に使用する枕を提供することを目的とする。【解決手段】本発明の枕は、第１クッションと、上記第１クッションと所定の幅の布を介して接続される第２クッションとを備え、上記布は、第１クッションを第２クッションの側に折り返した状態を維持できる幅で第１クッションと第２クッションを接続することを特徴とする。【選択図】　図１
2004121635.tif 000002
【特許請求の範囲】
【請求項１】
第１クッションと、
上記第１クッションと所定の幅の連結材を介して接続される第２クッションとを備え、
上記連結材の幅は、第１クッションが第２クッションの上に折り返した状態を維持できる値であることを特徴とする枕。
【請求項２】
請求項１に記載の枕であって、
上記第１クッションは、仰向けに頭部を置いた場合に首筋から後頭部までの部分を安定して支持することができるサイズを少なくとも有し、
上記第２クッションは、上記第１クッションを折り返した状態で安定して載せることのでき、かつ、第１クッションを折り返さずに仰向けに頭部を置いた場合に後頭部を安定して支持できるサイズを少なくとも有し、
上記連結材の幅は、第１クッションを折り返さずに仰向けに頭を載せたときに、第１クッションに人の首から後頭部が支持され、第２クッションに人の後頭部が支持される値であることを特徴とする枕。
【発明の詳細な説明】
【０００１】
【発明の属する技術分野】
本発明は、枕に関する。
【０００２】
【従来の技術】
従来より、仰向けに寝た時に首から後頭部にかけての安定を良くするため、図６に示すように、短手方向にくぼみ２０１を設けた枕２００が提案されている。
この枕２００を用いれば、確かに仰向けに寝た時の安定性は向上する。
【０００３】
【発明が解決しようとする課題】
しかし、実際に仰向けのまま朝まで寝る人は少なく、横向きに寝ることもある。横向きに寝る場合、人の頭は下になる一方の肩幅の分だけ上に持ちあがることになる。この場合、上記くぼみは不自然に頭を下げる姿勢を強要することになり好ましくない。
【０００４】
本発明は、仰向けに寝る場合及び横向きに寝る場合の両方の姿勢に柔軟に対応することのできる、即ち、横向きに寝る時の為に簡単かつ確実にかさを増すことのできる枕を提供することを目的とする。
【０００５】
【課題を解決するための手段】
本発明の第１の枕は、第１クッションと、上記第１クッションと所定の幅の連結材を介して接続される第２クッションとを備え、上記連結材の幅は、第１クッションが第２クッションの上に折り返した状態を維持できる値であることを特徴とする。
【０００６】
本発明の第２の枕は、上記第１の枕において、上記第１クッションは、仰向けに頭部を置いた場合に首筋から後頭部までの部分を安定して支持することができるサイズを少なくとも有し、上記第２クッションは、上記第１クッションを折り返した状態で安定して載せることのでき、かつ、第１クッションを折り返さずに仰向けに頭部を置いた場合に後頭部を安定して支持できるサイズを少なくとも有し、上記連結材の幅は、第１クッションを折り返さずに仰向けに頭を載せたときに、第１クッションに人の首から後頭部が支持され、第２クッションに人の後頭部が支持される値であることを特徴とする。
【０００７】
【発明の実施の形態】
（１）実施の形態１
図１は、実施の形態１に係る枕１を示す図である。枕１は、大きなクッション２、及び、２つの小さなクッション３，４を連結する連結材として、幅（Ｗ１（実施例では約３ｃｍ），Ｗ２（実施例では約３ｃｍ））の布５，６により接続したものである。図１の（ａ）は、枕１に人１００が仰向けに寝た状態の正面図であり、（ｂ）は、（ａ）を横から見た状態を示す図である。枕１の長さｌ１は、一般的な枕と同様、人１００の肩幅程度又はそれ以上の値（実施例では、約５０ｃｍ）に設定するが、使用上問題がなければ特に限定しない。大きなクッション２は、首から後頭部を安定して支持できる幅ｌ２（実施例では、約１５ｃｍ）及び高さｌ３（実施例では、約１０ｃｍ）のものを採用する。また、小さなクッション３は、後頭部自体を安定して支持できる幅ｌ４（実施例では約１０ｃｍ）及び高さｌ５（実施例では約５ｃｍ）のものを採用する。小さなクッション４は、上記小さなクッション３と同程度又は、それ以上であるが、少なくとも大きなクッション２よりは高さの寸法の小さなサイズ（実施例では、幅＝約１０ｃｍ、高さ＝約６ｃｍ）のものを使用する。上記大きなクッション２を設けたことにより、仰向けに寝た状態の頭の安定が良くなる。
【０００８】
なお、クッション２をクッション３の上に折り返していない状態で仰向けに寝るのに適し、かつ、クッション２をクッション３の上に折り返した状態で横向きに寝るのに適した形態に成る枕であって、クッション２をクッション３の上に折り返した状態で維持し得るように、クッション２が連結部である布５によりクッション３に接続されているといった条件を満足するのであれば、その他の条件、例えば、クッション２，３，４のサイズ及び形状、枕１としてのサイズ及び形状については様々に変更することができる。
【０００９】
なお、各クッション２，３，４は、表材として一般的な枕と同様に、綿、絹、化学繊維等で成る生地やメッシュ等を使用し、内包材として綿、フェザー、そば殻、スポンジ材、発泡ビーズ、パイプ状のチップ等を使用するものであり、寝心地や肌触りなどを考慮して各クッション毎に上記表材や内包材とその充填量を変えるのが好ましい。
【００１０】
図２は、横向きに寝る場合の枕１の使用図である。横向きに寝る場合、図示するように、大きなクッション２を小さなクッション３の上に折り返した状態で使用する。これにより、図示するように枕のかさ（クッション２が人１００の側頭部に当たる高さ）を増すことができ、横向きになることによる肩幅分の頭の位置の上昇に対応し、心地良い寝心地を供することができる。
【００１１】
図３に示すように、枕１では、布５の幅Ｗ１を、大きなクッション２を図示するように折り返した場合に、人が頭を載せるなどの力を加えずとも折り返した状態を維持する値に設定する。これは、何らかの理由で枕から頭を一時的に離した後に、再度当該枕を使用する際に再びクッション２を折り返すといった手間を省くためである。枕１は、２つのクッションの連結材として、このような幅の布５を設けたことを最大の特徴とする。なお、布５の素材、柔軟さ、厚み等については、後に詳細に説明する。
【００１２】
なお、大きなクッション２をクッション３の上に折り返した状態における安定性を更に高めるため、クッション２がクッション３に接触する箇所に布ファスナーやマグネットプレート等を利用する固定手段を設けることも考えられる。上記固定手段は、上記布ファスナーやマグネットプレートのようにクッション２をクッション３の上に折り返すだけで簡単に固定でき、かつ、引っ張るだけで簡単に解除できるものが好ましい。固定手段を設けることは、例えば、クッション２の内包材の充填率が高く、当該クッション２を折り返した状態での安定性に問題がある場合に好適な措置である。
【００１３】
以下、布５がクッション性を持たない場合について説明する。布５の幅Ｗ１の最小値は、クッション２が図３に点線で示すような状態で維持される値であるといえる。他方、布５の幅Ｗ１の最大値は、図１の（ａ）に示すように、仰向けに寝る場合において、大きなクッション２と布５において繋がる少なくとも小さなクッション３を含む領域の上に人１００の頭を安定して載せることのできる値であるといえる。上記の値は、クッション２の柔軟性や重さにより種々変化する。
【００１４】
なお、布６の幅Ｗ２も布５の場合と同様に、小さなクッション４を図示するように折り返した場合に、人が頭をのせるなどの力を加えずとも折り返した状態を維持する値に設定する。
【００１５】
図４は、枕１の折り返し方の２つのバリエーションを示す図である。図４の（ａ）に示すように、大きなクッション２を矢印ｂ方向に折り返すと、（ｂ）に示すように、かさ（図２に示すように横向きに寝た場合に、クッション２が人１００の側頭部に接する位置の高さ）をＨ（実施例では約１５ｃｍ）に増すことができる。また、小さなクッション４を矢印ｃ方向に折り返すと、（ｃ）に示すようにかさ（横向きに寝た場合に、クッション４が人１００の側頭部に接する位置の高さ）をＬ（実施例では約１１ｃｍ）に増すことができる。このように、枕１は、肩幅の大小に対応することができる。
【００１６】
本実施の形態１の枕１において、クッション同士の連結材として用いる布５は、クッション性を有さない、例えば、中に綿などを有していないものであると考えているが、これに限定されるものではない。連結材として、柔軟である程度の強度を有するものであれば、布５自体がある程度のクッション性を有する場合も当然に考えられる。この場合には、上記布５の最大値は、クッション３の存在が意味を成さなくなる限界の位置にまで大きくすること許される。即ち、極端な場合、クッション３，４を設けず、柔軟性を有し、ある程度の厚みの布５を、人の後頭部及び折り曲げたクッション２を支持するのに十分なだけの幅設けることも考えられる。この場合、布５は、クッション３の働きを兼ねることになり、連結材である布５とクッション３とが切れ目無く接続された状態にあると考える。
【００１７】
更に、２つのクッションの連結材としては、布５，６の代わりに、布以外の素材、例えば、布５，６の幅と同じ長さの複数の紐、ゴム紐、チェーン、ヒンジ等でクッション２及びクッション３、並びに、クッション３及びクッション４を接続することも考えられる。
【００１８】
（２）実施の形態２
また、図５は、実施の形態２に係る枕１０を示す図である。実施の形態１の枕１と同じ構成部分には同じ参照番号を付して示す。枕１０は、上記枕１を構成する小さなクッション３及び４の代わりに、これら２つのクッションを一体形成したクッション９を備える。枕１に比べて、折り返し方のバリエーションは減るが、仰向けに寝た場合の後頭部のしっくり感は向上する。
【００１９】
なお、枕１及び枕１０は、腰当（いわゆる腰枕）として用いることも考えられる。この場合、背骨の前方へのそり具合に応じてクッション２の部分を折り返して用いることができる。この場合においても折り返したクッション２の部分がそのままの状態を維持するため使用感は従来の枕や座布団を二つ折りにして用いる場合に比べて優れている。
【００２０】
【発明の効果】
本発明の第１の枕は、二つ折りにした状態を維持することができるため、枕として使用する場合、仰向けに寝る場合と、横向きに寝る場合の２通りの頭の高さに簡単な動作で対応することができる。また、腰当として使用する場合には、従来の枕に比べ、背骨の前方へのそり具合に応じて厚みを調節しやすいといった利点を有する。
【００２１】
また、本発明の第２の枕は、上記第１の枕において、さらに、仰向けに寝た場合に、第１クッションに首から後頭部にかけて支持され、第２クッションに後頭部が支持されるため、仰向けに寝たときの安定がよい。
【図面の簡単な説明】
【図１】（ａ）は、実施の形態１に係る枕の正面図であり、（ｂ）は、側面図である。
【図２】横向きに寝る場合の枕の使用状態を示す図である。
【図３】実施の形態１に係る枕を二つ折りにする場合の布の長さの条件を説明するための図である。
【図４】（ａ）〜（ｃ）は、枕の使用のバリエーションを示す図である。
【図５】（ａ）〜（ｂ）は、実施の形態２の枕を示す図である。
【図６】従来の枕を示す図である。
【符号の説明】１，１０　枕、２　大きなクッション、３，４，９　小さなクッション、１００　人体、２００　枕、２０１　くぼみ。
【図１】
2004121635.tif 000003
【図２】
2004121635.tif 000004
【図３】
2004121635.tif 000005
【図４】
2004121635.tif 000006
【図５】
2004121635.tif 000007
【図６】
2004121635.tif 000008